(57)【要約】【課題】マウスを操作する際にコードが邪魔にならないとともに、操作に支障が出ないマウスの提供。【解決手段】マウスＡは、湾曲する筐体上面３１の前部に押ボタンを配設し、平坦な筐体下面に移動量を検知するセンサを配設し、斜め上方に突出する透明樹脂管７を筐体前面３１に配設し、筐体前面３１から取り出されるコード４の基部４１を斜め上方に指向させている。透明樹脂管７にコード４を通しているので、コード４の基部４１が斜め上方を向く様に、確実にコード４が案内されるので、マウスＡを操作する際にコード４が邪魔にならない。【選択図】図３
2017058989.tif 000002
【特許請求の範囲】
【請求項１】
湾曲する筐体上面の前部に押ボタンを配設し、平坦な筐体下面に移動量を検知するセンサを配設し、緩傾斜する筐体前面の中央からフレキシブルなコードを取り出してパソコンのインターフェイスへ接続するマウスにおいて、
前記筐体前面から取り出されるコードの基部を斜め上方に指向させるためのコード案内具を取出部分に取り付けていることを特徴とするマウス。
【請求項２】
前記コード案内具は、略Ｕ字状の棒状部が途中で屈曲する案内金具であることを特徴とする請求項１に記載のマウス。
【請求項３】
前記コード案内具は、前記筐体前面に固着する鍔部と、前記コードの基部が斜め上方を向く様に支える案内板部と、コードを両側から掴む把持部とからなる金属片であることを特徴とする請求項１に記載のマウス。
【請求項４】
前記コード案内具は、前記筐体前面から斜め上方に突出する管であることを特徴とする請求項１に記載のマウス。
【請求項５】
前記コード案内具は、前記筐体前面に固着する鍔部と、中心に切欠きを設け斜め上方に湾曲する湾曲部とからなるプラスチック板であることを特徴とする請求項１に記載のマウス。
【発明の詳細な説明】
【技術分野】
【０００１】
本発明は、マウスに関する。
【背景技術】
【０００２】
マウスを動かす時にコードが邪魔になる。この不具合を解決するための従来技術が知られている。
【０００３】
特許文献１の技術では、ネコ形状のマウスコードホルダーでマウスのコードを支持している。
特許文献２の技術では、コード保持装置でマウスのコードを支持している。
【先行技術文献】
【特許文献】
【０００４】
【特許文献１】実用新案登録３１２４６１４号公報
【特許文献２】実用新案登録３０７６４２１号公報
【発明の概要】
【発明が解決しようとする課題】
【０００５】
上記特許文献１、２は、下記の課題を有する。
マウスパッドの上面でマウスを操作（前後、左右、斜め方向）する際に、マウスコードホルダーやコード保持装置が障害物になり、操作に支障が出る。
つまり、マウスを操作中に、手やマウスが、マウスコードホルダーやコード保持装置に当たる可能性が有り、当たると倒れてしまう。
【０００６】
本発明の目的は、マウスを操作する際にコードが邪魔にならないとともに、操作に支障が出ないマウスの提供にある。
【課題を解決するための手段】
【０００７】
（請求項１について）
マウスは、湾曲する筐体上面の前部に押ボタンを配設し、平坦な筐体下面に移動量を検知するセンサを配設している。そして、緩傾斜である筐体前面の中央からフレキシブルなコードを取り出してパソコンのインターフェイスへ接続している。
このマウスは、筐体前面から取り出されるコードの基部を斜め上方に指向させるするためのコード案内具を取出部分に取り付けている。
【０００８】
マウスをマウスパッド上で操作（前後、左右、斜め方向）する際に、筐体前面から取り出されるコードの基部がコード案内具により、常に斜め上方に指向する。これにより、マウスを操作する際に、筐体下面がコードを跨いでしまうことを防止できるのでコードが邪魔にならない。
【０００９】
筐体前面中央のコード取出部分にコード案内具を取り付ける構造であるので、移動時の障害物にならない。このため、マウス操作に支障が出ない。
【００１０】
（請求項２について）
筐体前面から取り出されるコードの基部を斜め上方に指向させるためのコード案内具は、略Ｕ字状の棒状部が途中で屈曲する案内金具である。
コード案内具が上記の案内金具であるので構造が簡単であり、コードが邪魔にならないマウスを安価に製造することができる。
【００１１】
（請求項３について）
コード案内具は、筐体前面に固着する鍔部と、コードの基部が斜め上方を向く様に支える案内板部と、コードを両側から掴む把持部とからなる金属片である。
コード案内具が案内板部を有する金属片であるので、基部が斜め上方を向く様に、金属片の案内板部でコードを確実に支えることができる。
【００１２】
（請求項４について）
コード案内具は、筐体前面から斜め上方に突出する管である。
コード案内具が管であるので構造が簡単である。このため、コードが邪魔にならないマウスを安価に製造することができる。また、管にコードを通しているので、コードの基部が斜め上方を向く様に、確実にコードが案内される。
【００１３】
（請求項５について）
コード案内具は、筐体前面に固着する鍔部と、中心に切欠きを設け斜め上方に湾曲する湾曲部とからなるプラスチック板である。
コード案内具がプラスチック板であるのでマウスが重くならない。
【図面の簡単な説明】
【００１４】
【図１】本発明の実施例１に係るマウスの説明図である。
【図２】本発明の実施例２に係るマウスの説明図である。
【図３】本発明の実施例３に係るマウスの説明図である。
【図４】本発明の実施例４に係るマウスの説明図である。
【発明を実施するための形態】
【００１５】
マウスは、湾曲する筐体上面の前部に押ボタンを配設し、平坦な筐体下面に移動量を検知するセンサを配設している。そして、緩傾斜である筐体前面の中央からフレキシブルなコードを取り出してパソコンのインターフェイスへ接続している。
【００１６】
このマウスは、斜め上方に突出する管を筐体前面に配設し、筐体前面から取り出されるコードの基部を斜め上方に指向させている。
管にコードを通しているので、コードの基部が斜め上方を向く様に、確実にコードが案内されるので、マウスを操作する際にコードが邪魔にならない。
また、マウスコードホルダーやコード保持装置等のコード保持具が不要であるので、手やマウスがコード保持具に当たらず、マウス操作に支障が出ない
【実施例１】
【００１７】
本発明の実施例１（請求項１、２に対応）を図１に基づいて説明する。
図１に示すマウスＡは、
湾曲する筐体上面１１の前部に押ボタン１を配設し、平坦な筐体下面２１に移動量を検知するセンサを配設し、緩傾斜する筐体前面３１の中央からフレキシブルなコード４を取り出している。
【００１８】
このマウスＡは、筐体前面３１から取り出されるコード４の基部４１を斜め上方に指向させるため、略Ｕ字状の棒状部５１が途中で屈曲する案内金具５（コード案内具）の平板部５０を筐体前面３１の取出部分に貼着している。
【００１９】
マウスＡを図示しないマウスパッド上で操作（前後、左右、斜め方向）する際に、筐体前面３１から取り出されるコード４１の基部４１が、案内金具５の閉塞端５２により斜め上方に指向する。これにより、マウスＡを操作する際に、筐体下面２１がコード４を跨いでしまうことを防止できるのでコード４が邪魔にならない。
【００２０】
筐体前面３１中央のコード取出部分に案内金具５を取り付ける構造であるので、マウス移動時の障害物にならない。このため、マウス操作に支障が出ない。
コード案内具が案内金具５であるので構造が簡単である。このため、マウスＡを安価に製造することができる。
【実施例２】
【００２１】
本発明の実施例２（請求項１、３に対応）を図２に基づいて説明する。
図２に示すマウスＢは、湾曲する筐体上面１１の前部に押ボタン１を配設し、平坦な筐体下面２１に移動量を検知するセンサを配設し、緩傾斜する筐体前面３１の中央からフレキシブルなコード４を取り出している。
【００２２】
このマウスＢは、筐体前面３１から取り出されるコード４の基部４１を斜め上方に指向させるため、鍔部６１と、コード４の基部４１が斜め上方を向く様に支える略ヘ字状の案内板部６２と、コード４を両側から掴む把持部６３とからなる金属片６（コード案内具）の鍔部６１を筐体前面３１の取出部分に固着している。
【００２３】
マウスＢを図示しないマウスパッド上で操作（前後、左右、斜め方向）する際に、筐体前面３１から取り出されるコード４１の基部４１が金属片６の案内板部６２で支えられて常に斜め上方に指向する。これにより、マウスＢを操作する際に、筐体下面２１がコード４を跨いでしまうことを防止できるのでコード４が邪魔にならない。
【００２４】
筐体前面３１中央のコード取出部分に金属片６の鍔部６１を固着する構造であるので、マウス移動時の障害物にならない。このため、マウス操作に支障が出ない。
コード案内具が案内板部６２を有する金属片６であるので、基部４１が斜め上方を向く様に、金属片６の案内板部６２でコード４を確実に支えることができる。
【実施例３】
【００２５】
本発明の実施例３（請求項１、４に対応）を図３に基づいて説明する。
図３に示すマウスＣは、湾曲する筐体上面１１の前部に押ボタン１を配設し、平坦な筐体下面２１に移動量を検知するセンサを配設し、緩傾斜する筐体前面３１の中央からフレキシブルなコード４を取り出している。
【００２６】
このマウスＣは、筐体前面３１から取り出されるコード４の基部４１を斜め上方に指向させるため、略ヘ字状の透明樹脂管７を筐体前面３１から斜め上方に突出させている。    マウスＣを図示しないマウスパッド上で操作（前後、左右、斜め方向）する際に、筐体前面３１から取り出されるコード４１の基部４１が透明樹脂管７に案内されて常に斜め上方に指向する。これにより、マウスＣを操作する際に、筐体下面２１がコード４を跨いでしまうことを防止できるのでコード４が邪魔にならない。
【００２７】
コード案内具が透明樹脂管７であるので構造が簡単であるため、マウスを安価に製  造することができる。また、透明樹脂管７にコード４を通しているので、コード４の基部４１が斜め上方を向く様に、確実にコード４が案内される。
【実施例４】
【００２８】
本発明の実施例４（請求項１、５に対応）を図４に基づいて説明する。
図４に示すマウスＤは、
湾曲する筐体上面１１の前部に押ボタン１を配設し、平坦な筐体下面２１に移動量を検知するセンサを配設し、緩傾斜する筐体前面３１の中央からフレキシブルなコード４を取り出している。
【００２９】
このマウスＤは、筐体前面３１から取り出されるコード４の基部４１を斜め上方に指向させるため、鍔部８１と、中心に切欠き８２を設け斜め上方に湾曲する湾曲部８３とからなるプラスチック板８（コード案内具）の鍔部８１を筐体前面３１の取出部分に固着している。
【００３０】
このマウスＤを図示しないマウスパッド上で操作（前後、左右、斜め方向）する際に、筐体前面３１から取り出されるコード４１の基部４１が湾曲部８３に案内されて常に斜め上方に指向する。これにより、マウスＤを操作する際に、筐体下面２１がコード４を跨いでしまうことを防止できるのでコード４が邪魔にならない。
コード案内具がプラスチック板８であるのでマウスＤが重くならない。
【符号の説明】
【００３１】
Ａ、Ｂ、Ｃ、Ｄ  マウス
１  押ボタン
４  コード
５  案内金具（コード案内具）
６  金属片
７  透明樹脂管
８  プラスチック板
１１  筐体上面
２１  筐体下面
３１  筐体前面
５１  開放端
５２  閉塞端
６１  鍔部
６２  平板部
６３  把持部
８１  鍔部
８２  切欠き
８３  湾曲部
【図１】
2017058989.tif 000003
【図２】
2017058989.tif 000004
【図３】
2017058989.tif 000005
【図４】
2017058989.tif 000006